(57)【要約】【課題】高さ調整機能を有しかつ紛失しにくいゴルフ用ティーの提供。【解決手段】ゴルフ用ティー２は、地面に差し込まれる差込部材４と、この差込部材４と着脱可能に装着される支持部材６と、この差込部材４と支持部材６とを連結する接続部材８とを備えている。差込部材４は、その上面において支持部材６と装着される台部１０と、この台部１０の下面中央部から先細りに延びる軸部１２とを有している。支持部材６は第一部材１４と第二部材１６とを備えている。第一部材１４は、ゴルフボールを載置する頭頂部１８と、この頭頂部１８の下部に位置する筒状の胴体部２０とを有している。このティー２では、第二部材１６が、この胴体部２０にそって移動可能に挿入されることにより、支持部材６の全長が調整される。【選択図】図１
0003213455.tif 000002
【実用新案登録請求の範囲】
【請求項１】
地面に差し込まれる差込部材と、この差込部材と着脱可能に装着される支持部材と、上記差込部材及び支持部材を連結する接続部材とを備えており、
上記差込部材が、その上面において上記支持部材と装着される台部と、この台部の下面中央部から先細りに延びる軸部とを有しており、
上記支持部材が、使用時にその上部にゴルフボールを載置する頭頂部と、この頭頂部の下部に位置する筒状の胴体部とを有する第一部材と、この胴体部に挿入可能な第二部材とを備えており、
上記第二部材が、上記第一部材の胴体部に沿って上下方向に移動可能に挿入されることによって、上記支持部材の全長が調整可能に構成されているゴルフ用ティー。
【請求項２】
上記台部が、平面視円形状であり、その外周が上面から下面に向かって段階的に大きくなる請求項１に記載のゴルフ用ティー。
【請求項３】
上記台部が、平面視円形状であり、その外周が上面から下面に向かって連続的に大きくなる請求項１に記載のゴルフ用ティー。
【請求項４】
上記胴体部が弾性を有している請求項１から３のいずれかに記載のゴルフ用ティー。
【請求項５】
上記頭頂部の硬さが、上記胴体部の硬さより大きい請求項１から４のいずれかに記載のゴルフ用ティー。
【請求項６】
上記支持部材及び上記差込部材の少なくとも一方が磁石を有しており、
上記支持部材と上記差込部材とが、上記磁石により着脱可能に装着される請求項１から５のいずれかに記載のゴルフ用ティー。
【請求項７】
上記支持部材及び上記差込部材が、それぞれ磁石を有している請求項６に記載のゴルフ用ティー。
【請求項８】
上記第一部材と上記第二部材とが螺合される請求項１から７のいずれかに記載のゴルフ用ティー。
【請求項９】
上記頭頂部が、平面視略円形の基部と、この基部の外周に位置する複数の突起部とを有している請求項１から８のいずれかに記載のゴルフ用ティー。
【請求項１０】
上記第一部材が透明又は半透明の材質で形成されている請求項１から９のいずれかに記載のゴルフ用ティー。
【考案の詳細な説明】
【技術分野】
【０００１】
本考案は、ゴルフ用ティーに関する。
【背景技術】
【０００２】
プレー時に、ゴルファーは、地面に差し込んだティーに載置したゴルフボールを打撃する。このゴルフボールがクラブにより打撃されるとき、同時に、このゴルフボールを載置するティーも打撃される。打撃されたティーの多くは、予期されない方向に飛び出す。飛び出したティーを見つけて回収するために、時間を要する場合がある。また、発見されず失われるティーも、少なからず存在する。打撃の衝撃により破損するティーも存在する。
【０００３】
特開２００６−４３４００号公報では、打撃による衝撃を緩和するために、地面に差し込まれる挿入部と、ゴルフボールを載置する載置部とに分割し、さらに、回収を容易にするために、両者を連結索で接続したゴルフ用ティーが提案されている。
【先行技術文献】
【特許文献】
【０００４】
【特許文献１】特開２００６−４３４００号公報
【考案の概要】
【考案が解決しようとする課題】
【０００５】
ゴルファーは、適度な高さにティーアップされたゴルフボールを打撃することを望んでいる。打撃場所に合わせてゴルフボールの高さを調整するためには、長さの異なるティーが必要であるが、使用時の紛失に備えて、長さの異なるティーをそれぞれ複数本携帯しなければならず、煩わしいという問題があった。
【０００６】
本考案の目的は、高さ調整機能を有しかつ紛失しにくいゴルフ用ティーの提供にある。
【課題を解決するための手段】
【０００７】
本考案に係るゴルフ用ティーは、地面に差し込まれる差込部材と、この差込部材と着脱可能に装着される支持部材と、この差込部材及び支持部材を連結する接続部材とを備えている。この差込部材は、その上面において支持部材と装着される台部と、この台部の下面中央部から先細りに延びる軸部とを有している。この支持部材は、使用時にその上部にゴルフボールを載置する頭頂部と、この頭頂部の下部に位置する筒状の胴体部とを有する第一部材と、この胴体部に挿入可能な第二部材とを備えている。このティーでは、この第二部材が第一部材の胴体部に沿って移動可能に挿入されることにより、この支持部材の全長が調整可能に構成されている。
【０００８】
好ましくは、この台部は、平面視円形状であり、その外周が上面から下面に向かって段階的に大きくなっている。
【０００９】
好ましくは、この台部は、平面視円形状であり、その外周が上面から下面に向かって連続的に大きくなっている。
【００１０】
好ましくは、この胴体部は弾性を有している。好ましくは、この頭頂部の硬さは、この胴体部の硬さより大きい。
【００１１】
好ましくは、この支持部材及び差込部材の少なくとも一方は磁石を有している。このティーでは、この支持部材と差込部材とが、磁石により着脱可能に装着される。好ましくは、この支持部材及び差込部材は、それぞれ磁石を有している。
【００１２】
好ましくは、この第一部材と第二部材とは螺合される。
【００１３】
好ましくは、この頭頂部は、平面視略円形の基部と、この基部の外周に位置する複数の突起部とを有している。
【００１４】
好ましくは、この第一部材は、透明又は半透明の材質で形成されている。
【考案の効果】
【００１５】
本考案に係るゴルフ用ティーによれば、ゴルフボールを安定して、適正な高さに載置することが可能であり、かつ使用時の紛失を防止できる。
【図面の簡単な説明】
【００１６】
【図１】図１は、本考案の一実施形態に係るゴルフ用ティーの側面図である。
【図２】図２は、図１のティーの使用状態を説明するための概念図である。
【図３】図３は、図１のティーの使用後の状態を説明するための概念図である。
【図４】図４の（４ａ）は、本考案の他の実施形態に係るティーの差込部材の平面図であり、（４ｂ）はその一部が示された側面図である。
【図５】図５の（５ａ）は、本考案のさらに他の実施形態に係るティーの差込部材の平面図であり、（５ｂ）はその一部が示された側面図である。
【考案を実施するための形態】
【００１７】
以下、適宜図面が参照されつつ、好ましい実施形態に基づいて本考案が詳細に説明される。この実施形態に基づいて本考案が限定的に解釈されるべきではない。
【００１８】
図１は、本考案の一実施形態に係るゴルフ用ティー２が示された側面図である。図１において、上下方向が高さ方向である。
【００１９】
このゴルフ用ティー２は、差込部材４、支持部材６及び接続部材８を備えている。差込部材４は、台部１０と、軸部１２とを有している。支持部材６は、第一部材１４と、第二部材１６とから構成される。第一部材１４は、頭頂部１８及び胴体部２０を有している。
【００２０】
この差込部材４の台部１０は、略円板状である。軸部１２は、この台部１０の下面略中央部から下方に向かって先細りに延びる略円錐状である。この差込部材４では、台部１０と軸部１２とが一体に成形されている。
【００２１】
この実施形態において、第一部材１４の頭頂部１８は、平面視略円形の基部２２と、この基部２２の外周に位置する複数の突起部２４とを有している。頭頂部１８の下部に位置する胴体部２０は、下方に開口する略円筒状である。図示されないが、胴体部２０の内側面には、雌ねじ部が形成されている。
【００２２】
第二部材１６の外面には、胴体部２０の内側面に形成された雌ねじ部と螺合する雄ねじ部が形成されている。このティー２では、第二部材１６を、第一部材１４の胴体部２０に挿入して螺合することにより、支持部材６が構成される。この第二部材１６は、自在に、胴体部２０から引き出されうる。図１には、第二部材１６が、部分的に、第一部材４の胴体部２０から引き出された状態が示されている。
【００２３】
この差込部材４及び支持部材６は、それぞれ、装着手段を有している。この実施形態における装着手段は、磁石である。このティー２では、差込部材４の台部１０の上面に第一磁石４６が埋設され、第二部材１６の下面に第二磁石４８が埋設されている。このティー２では、台部１０の上面と第二部材１６の下面とが磁着されることにより、差込部材４と支持部材６とが着脱可能に装着される。
【００２４】
本考案に係るティーでは、差込部材４と支持部材６とが、接続部材８により連結される。この実施形態における接続部材８は、一定の長さを有する紐状である。図示される通り、このティー２では、接続部材８の一端が、差込部材４の台部１０に接続され、接続部材８の他端が、支持部材６をなす第二部材１６に接続されることにより、差込部材４と支持部材６とが連結されている。
【００２５】
図２には、このゴルフ用ティー２の使用状態の一例が示されている。このゴルフ用ティー２を使用する場合、ゴルファーは、先ず、第二部材１６を第一部材１４の胴体部２０から引き出し、又はこの胴体部２０に押し込むことにより、支持部材６の全長を要望する長さに調整する。次に、ゴルファーは、長さを調整した支持部材６と差込部材４とを装着して、差込部材４の軸部１２を地面２８に差し込む。その後、ゴルファーは、支持部材６の頭頂部１８にゴルフボール２６を載置して、このゴルフボール２６をクラブで打撃する。
【００２６】
このティー２によれば、ゴルファーは、支持部材６の全長を調整することにより、地面２８からゴルフボール２６までの高さを変更することができる。このティー２によれば、ゴルファーは、長さの異なる複数のティーを所持することなく、ゴルフボール２８を、要望する高さにティーアップすることができる。
【００２７】
図３には、このゴルフ用ティー２の使用後の状態が示されている。このティー２に載置されたゴルフボール２６がクラブにより打撃されるとき、支持部材６が打撃される。打撃の衝撃によって、支持部材６は差込部材４と分離する。通常、差込部材４がクラブにより打撃されることは少ない。この差込部材４は、支持部材６が分離した後も、地面２８に差し込まれた状態で維持される。前述したとおり、この支持部材６と差込部材４とは接続部材８により連結されている。従って、支持部材６と差込部材４との離間距離は、接続部材８の長さに制限される。このティー２では、打撃された支持部材６は、地面２８に差し込まれた差込部材４の近傍に落下する。このティー２は、使用後も見つけやすく回収が容易である。このティー２は、紛失しにくい。
【００２８】
図２に示された両矢印Ｌ１は、第二部材１６を第一部材１４の胴体部２０から引き出すことにより得られる支持部材６の最大長さであり、両矢印Ｌ２は、差込部材４の長さである。支持部材６が打撃されたときに、差込部材４が地面２８に差し込まれた状態で維持されるとの観点から、比（Ｌ１／Ｌ２）は、１．２以下が好ましく、１．１以下がより好ましく、１．０以下が特に好ましい。比（Ｌ１／Ｌ２）の下限は特に限定されないが、好ましくは、０．６０以上である。
【００２９】
本考案において、支持部材６の材質は特に限定されない。打撃されたときの衝撃緩和の観点から、好ましい材質は、弾性に優れた樹脂組成物である。弾性に優れた樹脂組成物の基材樹脂としては、熱可塑性エラストマー及び熱硬化性エラストマーが挙げられる。熱可塑性エラストマーとして、熱可塑性ポリウレタンエラストマー、熱可塑性ポリエステルエラストマー、スチレンブロック含有熱可塑性樹脂エラストマー、熱可塑性ポリオレフィンエラストマー、熱可塑性アクリルエラストマー及び熱可塑性塩化ビニルエラストマーが例示される。熱硬化性エラストマーとして、ポリウレタン樹脂、シリコーン樹脂、フッ素樹脂及び加硫ゴムが例示される。ポリ塩化ビニル、ポリエチレン等の軟質樹脂が使用されてもよい。必要に応じて、２種以上の樹脂組成物が使用されてもよい。支持部材６をなす樹脂組成物は、着色剤、充填剤、分散剤、酸化防止剤、光安定剤、蛍光剤、蛍光増白剤等を含みうる。
【００３０】
本考案の効果が阻害されない限り、第一部材１４の材質と第二部材１６の材質とが、同じであってもよく、異なっていてもよい。別個に成形された複数の部材が接合されることにより、第一部材１４が得られてもよい。別個に成形された複数の部材が接合されることにより、第二部材１６が得られてもよい。
【００３１】
より好ましい実施形態としては、第一部材１４が透明又は半透明の材質から形成される。より好ましくは、第一部材１４の胴体部２０が透明又は半透明の材質から形成される。この実施形態では、第二部材１６が、透明又は半透明の第一部材１４を通して判別可能な程度に着色されていることが特に好ましい。透明又は半透明の第一部材１４と、着色された第二部材１６とを有するティー２では、使用時に、第二部材１６が第一部材１４から引き出された状態、又は第一部材１４に押し込まれた状態を、ゴルファーが目視で確認できる。このティー２では、高さの調整が容易である。
【００３２】
好ましくは、ゴルフ用ティー２は、別個に成形された頭頂部１８と胴体部２０とを接合してなる第一部材１４を備えている。より好ましくはこの頭頂部１８と胴体部２０とは、物性の異なる樹脂組成物から形成される。打撃時の衝撃が緩和されるとの観点から、胴体部２０が弾性を有していることが好ましい。ゴルフボールを載置したときの安定性の観点から、頭頂部１８の硬さが、胴体部２０の硬さよりも大きいことが好ましい。この頭頂部１８をなす樹脂組成物の基材樹脂と、胴体部２０をなす樹脂組成物の基材樹脂とが、同じであってもよく、異なっていてもよい。頭頂部１８と胴体部２０とが、同じ基材樹脂を主成分として含み、かつ硬さの異なる樹脂組成物から形成されてもよい。弾性を有する胴体部２０をなす樹脂組成物の基材樹脂としては、ポリウレタンが例示される。硬い頭頂部１８をなす樹脂組成物の基材樹脂としては、ポリカーボネートが例示される。
【００３３】
差込部材４の材質は特に限定されないが、地面２８に差し込みやすいとの観点から、好ましい材質は硬質樹脂である。硬質樹脂の具体例としては、ポリプロピレン、ポリエチレンテレフタレート、ポリブチレンテレフタレート、ポリアミド、ポリカーボネート、ポリスルフォン、ポリエーテルスルフォン、ポリフェニレンエーテル、ポリフェニレンサルファイド等が挙げられる。差込部材４が金属であってもよい。
【００３４】
本考案の効果が阻害されない限り、別個に成形された台部１０と軸部１２とが接合されることにより、差込部材４が得られてもよい。この場合、台部１０の材質と軸部１２の材質とが同じであってもよく、異なっていてもよい。
【００３５】
本考案の目的が達成される限り、支持部材６及び差込部材４の少なくとも一方が、装着手段として磁石を有していてもよい。例えば支持部材６が装着手段として磁石を備える場合、差込部材４の全体又は差込部材４の台部１０が磁着可能な金属から形成された態様や、台部１０の上面に磁着可能な金属片が埋設された態様も、本考案の技術的範囲に含まれる。また、差込部材４が装着手段として磁石を備える場合、支持部材６の少なくとも下面が磁着可能な金属から形成された態様や、支持部材６の下面に磁着可能な金属片が埋設された態様も、本考案の技術的範囲に含まれる。支持部材６と差込部材４とが着脱可能な構成とされる限り、その装着手段が磁石以外であってもよい。
【００３６】
本考案の効果が阻害されない限り、接続部材８の材質も特に限定されない。打撃時に、支持部材６と差込部材４との連結を維持しうるとの観点から、好ましい材質として、ナイロン樹脂、塩化ビニル樹脂、ゴム等が例示される。接続部材８の形状としては、棒状の紐、リボン状、コイル状等が例示される。
【００３７】
本考案の効果が阻害されない限り、螺合以外の手段によって、支持部材６の全長が調整されてもよい。例えば、第一部材１４の胴体部２０の開口部の外周に沿って、胴体部２０の内部に向かって突出する爪が設けられ、第二部材１６の外面に複数の切り込みが設けられた実施形態が挙げられる。複数の切り込みは、第二部材１６の上面から下面に向かって、間隔をあけて設けられている。この実施形態では、複数の切り込みの一つを選択して、この切り込みに、胴体部２０に設けられた爪が嵌合することにより、支持部材６の全長が調整される。
【００３８】
支持部材６の他の例として、第一部材１４の胴体部２０の側面に小孔が設けられており、この小孔にピン、螺子等の固定手段が付設された実施形態が挙げられる。この実施形態では、胴体部２０に挿入した第二部材１６の位置を調整した後、ピン、螺子等の固定手段で第二部材１６を固定することにより、支持部材６の全長が調整される。
【００３９】
図４の（４ａ）は、本考案の他の実施形態に係るゴルフ用ティーの差込部材３０の平面図である。（４ｂ）はこの差込部材３０の部分側面図である。この差込部材３０は、台部３２と、軸部３４とを有している。図示されないが、軸部３４は、台部３２の下面略中央部から、下方に向かって先細りに延びている。台部３２は、平面視円形状であり、その外周が、上面から下面に向かって、段階的に大きくなっている。
【００４０】
図４の（４ａ）に示された両矢印Ｄ１は、台部３２の上面の最大径であり、両矢印Ｄ２は、台部３２の下面の最大径である。図示される通り、この台部３２の下面の最大径Ｄ２は、上面の最大径Ｄ１よりも大きい。この差込部材３０を備えたティーが使用され、軸部３４が地面に差し込まれるとき、台部３２の大きな下面が地面と接触する。この差込部材３０の接地面積は、大きい。この差込部材３０が地面に差し込まれた時の安定性は高い。
【００４１】
この差込部材３０を備えたティーに載置されたゴルフボールが打撃されるとき、同時に、この差込部材３０に装着された支持部材が打撃される。打撃の衝撃により、支持部材が、差込部材３０と分離する。前述したとおり、この差込部材３０の接地面積は大きい。大きな接地面積によって、打撃による衝撃が大きな場合にも、差込部材３０が地面に差し込まれた状態で維持される。このティーでは、打撃されて差込部材３０と分離した支持部材は、地面に差し込まれた差込部材３０の近傍に落下する。このティーは、使用後も見つけやすく回収が容易である。このティーは、紛失しにくい。
【００４２】
安定性及び耐衝撃性の観点から、この台部３２の上面の最大径Ｄ１に対する下面の最大径Ｄ２の比（Ｄ２／Ｄ１）は、１．１以上が好ましく、１．２以上がより好ましく、１．３以上が特に好ましい。比（Ｄ２／Ｄ１）の上限は特に限定されないが、携帯の利便上、２．０以下が好ましい。本考案の効果が阻害されない限り、差込部材３０が、上面から下面に向かって、３段階以上でその外周が大きくなる台部３２を備えてもよい。
【００４３】
図５の（５ａ）は、本考案のさらに他の実施形態に係るゴルフ用ティーの差込部材３８の平面図である。（５ｂ）はこの差込部材３８の部分側面図である。この差込部材３８は、台部４０と、軸部４２とを有している。台部４０は、平面視円形状であり、その外周が、上面から下面に向かって、連続的に大きくなっている。図示されないが、軸部４２は、台部４０の下面略中央部から、下方に向かって先細りに延びている。
【００４４】
図５の（５ａ）に示された両矢印Ｄ３は、台部４０の上面の最大径であり、両矢印Ｄ４は、台部４０の下面の最大径である。図示される通り、この台部４０の下面の最大径Ｄ４は、上面の最大径Ｄ３よりも大きい。この差込部材３８を備えたティーが使用され、軸部４２が地面に差し込まれるとき、台部４０の大きな下面が地面と接触する。この差込部材３８の接地面積は、大きい。この差込部材３８が地面に差し込まれた時の安定性は高い。
【００４５】
この差込部材３８を備えたティーに載置されたゴルフボールが打撃されるとき、同時に、この差込部材３８に装着された支持部材が打撃される。打撃の衝撃により、支持部材が、差込部材３８と分離する。前述したとおり、この差込部材３８の接地面積は大きい。大きな接地面積によって、打撃による衝撃が大きな場合にも、差込部材３８が地面に差し込まれた状態で維持される。このティーでは、打撃されて差込部材３８と分離した支持部材は、地面に差し込まれた差込部材３８の近傍に落下する。このティーは、使用後も見つけやすく回収が容易である。このティーは、紛失しにくい。
【００４６】
安定性及び耐衝撃性の観点から、この台部４０の上面の最大径Ｄ３に対する下面の最大径Ｄ４の比（Ｄ４／Ｄ３）は、１．１以上が好ましく、１．２以上がより好ましく、１．３以上が特に好ましい。比（Ｄ４／Ｄ３）の上限は特に限定されないが、携帯の利便上、２．０以下が好ましい。
【産業上の利用可能性】
【００４７】
以上説明されたゴルフ用ティーは、贈答品、販促品等としても用いられる。
【符号の説明】
【００４８】
２・・・ティー
４、３０、３８・・・差込部材
６・・・支持部材
８、３６、４４・・・接続部材
１０、３２、４０・・・台部
１２、３４、４２・・・軸部
１４・・・第一部材
１６・・・第二部材
１８・・・頭頂部
２０・・・胴体部
２２・・・基部
２４・・・突起部
２６・・・ゴルフボール
２８・・・地面
４６・・・第一磁石
４８・・・第二磁石
【図１】
0003213455.tif 000003
【図２】
0003213455.tif 000004
【図３】
0003213455.tif 000005
【図４】
0003213455.tif 000006
【図５】
0003213455.tif 000007